(57)【要約】【課題】さびき釣り中に擬餌針の枝ハリスが切れた時に、擬餌針の取替えが大変難しく、簡単に取り付けることが出来る、擬餌針を提供する。【解決手段】釣り針と疑似餌を合わせて結び、枝ハリスがリング状になっていることを特徴とする擬餌針。【選択図】図１
2008099655.tif 000002
【特許請求の範囲】
【請求項１】
釣り針と疑似餌を合わせて結び、枝ハリスがリング状になっていることを特徴とする擬餌針。
【発明の詳細な説明】
【技術分野】
【０００１】  本発明は、擬餌針の枝ハリスをリング状に結んだ、擬餌針に関するものである。
【背景技術】
【０００２】  従来の擬餌針は、枝ハリス（Ａ）が直線状の擬餌針であった。
【発明の開示】
【発明が解決しようとする課題】
【０００３】  その為に、次のような問題点があった。
魚つり中に、枝ハリスが切れた時、幹糸と枝ハリス（Ａ）を直接結んでいた（８）為に、新しい擬餌針の取り付けが大変難しく切れたまま釣っていた。（図３）
本発明は、以上の問題点を解決する為になされたものである。
【問題を解決する為の手段】
【０００４】  釣り針と疑似餌を合わせて結び、枝ハリス（１）がリング状になっていることを特徴とする擬餌針。
【発明の効果】
【０００５】  本発明は、魚つり中に枝ハリスが切れた時、リング状枝ハリス（１）を用いることによって擬餌針を取り替える時に簡単に取り替えることが出来る。
【発明を実施する為の形態】
【０００６】  以下、本発明の実施の形態を説明する。
釣り針の胴部（３）を、ひし形に切り長対角線を二つ折りにした（以下疑似餌と言う）（５）ではさみ、図７、図８、図９、図１０、図１１、図１２、等の方法で枝ハリス（１）をリング状に結ぶ、釣り針の耳部（２）に近い胴部（３）の裏側の０〜２ミリの所に接着剤を少し付け、疑似餌を貼り付けると結びやすく、釣り針と疑似餌を結んだ結び目に接着剤を付けるとなお良い。
以下、詳細を説明する。
図７は、本発明の疑似餌の結び方で、第一実施例の詳細を説明する。
針先を上にした釣り針を、疑似餌（５）で挿んで、はりの耳部（２）と胴部（３）を第一指第二指で持ちハリスの先を耳部（２）側に１５センチくらい余して持ち、元側ハリスで直径１５ミリくらいの輪を針の上側に作り疑似餌（５）と第一指の間に合わせ持つ。そして１５センチくらい余したハリスの先を第三指に掛けて（リング状枝ハリス（１）を作る為）先に作った１５ミリくらいの輪に手前から向側に通す。通したハリスの先を持ち釣り針の下を通り手前上に強く引き上げる。この時に第一指の指先を少し広げ、引き上げたハリスを挿み持つ。この動作を数回繰り返した後に元側のハリスを１０センチくらい余して切り、切ったハリスを釣り針の下側を通り手前から針の上側を通り輪の向側に廻る、輪の中を向側から手前に通し引く。そして片方の手でリング状枝ハリスもう片方の手で元側ハリス（１０センチくらい余して切った）を持ち強く引き合えば結ばれる。余ったハリスは切る。
図８は、本発明の擬餌針の結び方で、第二実施例の詳細を説明する。
針先を上にした釣り針を疑似餌（５）で挿んで、針のふところ部（４）と胴部（３）を第一指第二指で持ちハリスの先を１５センチくらい余して疑似餌（５）と第一指の間に合わせ持ち、耳部（２）より２センチくらいの所で折り返し疑似餌（５）と第一指の間に挿みながらふところ部（４）先５ミリくらいの所で折り返し、疑似餌（５）と第一指ではさみ胴部（３）の上方耳部（２）の近くに数回強く巻きつける。巻きつけた所を逆の手の第一指第二指で持ち替え耳部（２）の先の２センチくらいの輪に第三指を通しておき、ふところ部（４）の輪に手前から向側に通す。元側のハリスを１０センチくらい余して切り、切ったハリスを疑似餌（５）と針の向側に下方から廻し手前に先に通した輪に通し、後から通したハリスでリング状枝ハリス（１）の大きさを調整しながらリング状枝ハリス（１）と２本の端ハリスを強く引っぱると結ばれる。余ったハリスは切る。
図９は、本発明の擬餌針の結び方で、第三実施例の詳細を説明する。
ハリスを折り返して結びリング状になったハリスを作って置く。疑似餌（５）で針先を上にした釣り針を挿み胴部（５）を左手第一指第二指で挿んで持ち、先に作ったリング状ハリスの結び目を下側に１０ミリほど余し、針に対して交差して持ち上方から向側を廻って手前に出し、先ほど廻したハリスと針の間を左側から右側に抜き少し引っぱる。最初に余した結び目のあるハリスを耳部（２）側に倒し、リング状になったハリスを上方から向側を通り下方に廻し手前に引き出し、廻したハリスと針との間を左側から右側に通して引き抜き、ハリスが耳部（２）の上側に来るように強く引くと結ばれる。
図１０は、本発明の擬餌針の結び方で、第四実施例の詳細を説明する。
疑似餌で針先を上にした釣り針を挿み、胴部（３）を第一指第二指で挿んで持ち耳部（２）側よりハリスを、疑似餌（５）と第一指の間に挿み、ふところ部（４）側で折り返し１０センチくらいハリスを余して持つ。そして余したハリスを手前から針の上側を通り向側に廻り手前に引き出す。この様にして数回強く巻き付ける。逆の手で持ち替え巻き付けたハリスの先を、折り返した時に出来た輪に通し、ハリスの元側を引っぱると、疑似餌（５）と針が結ばれる。そして元側の二つ折にしながら結ばれた擬餌針の胴部（３）耳部（２）二つ折になったハリスを第一指第二指で持つ。ハリスの折り返した所を逆の手で持ちハリスの下側に輪を作りながら擬餌針を持った指先を少し開き、ハリスと第一指の間を通し開いた指を閉め、ハリスを手前に廻し先に作った輪の中を向側から手前に引き抜き、結び目とリング状になるハリスの大きさを調整しながら引っぱると結ばれる。余ったハリスは切る。
図１１は、本発明の擬餌針の結び方で、第五実施例の詳細を説明する。
ハリスを折り返して結ぶ（結んだ先を切らないで置く、結び易くする為）。折り返し二重になったハリスで結び目の近くに輪を作り結び目の無い方を通し、直径を３〜４ミリにして置く。疑似餌（５）で釣り針を挿み胴部（３）を第一指第二指で挿んで持ち指先を少し広げ、結んだハリスの輪の結び目の方から輪に疑似餌（５）で挿んだ釣り針を入れ、広げた指先を閉じ折り返したハリスを少し引っぱり針を持った指を離し、切らないで置いたハリスを持ち替え，切らないで置いたハリスの結び目が針を結ぶハリスと接する様に調整しながら強く引っぱると結ばれる。余ったハリスは切る。
図１２は、本発明の擬餌針の結び方で、第六実施例の詳細を説明する。
ハリスを折り返して結ぶ。折り返し二重になったハリスで結び目の近くに輪を作り結び目の無い方を２回通す。直径３〜４ミリの輪にして置く。以下第五実施例と同じである。
本発明は以上の構成よりなっている。
本発明を使用する時は、釣竿（９）に竿の長さ位の幹糸（６）を結び下部に２０センチ間隔で５〜６箇所結び目（７）を作り、最下部に餌さカゴ（１１）を取り付ける（地方に依り餌さカゴの取り付け位置が違う）、幹糸（６）の結び目（７）の上側に枝ハリスをリング状に結んだ擬餌針の枝ハリス（１）を交差させて持ち、擬餌針が幹糸（６）を廻ってリング状枝ハリス（１）のリングの内側を通し、擬餌針を引っぱると取り付けられる。全ての結び目（７）の上側にこの様にして擬餌針を取り付け、餌を餌さカゴに入れ、魚釣りを始める。この結果枝ハリスが切れて擬餌針が取れても、幹糸（６）と擬餌針（図１）の枝ハリスを直接殺して（ハリスが滑らないように）結んでいないので、簡単に取り替えることが出来る。
【図面の簡単な説明】
【０００７】
【図１】    本発明の斜視図
【図２】    本発明の装着説明図
【図３】    従来の擬餌針装着説明図
【図４】    本発明の使用説明図
【図５】    本発明に使用する釣り針の斜視図
【図６】    本発明に使用する疑似餌の斜視図
【図７】    本発明のハリスの結び方の第一実施例図
【図８】    本発明のハリスの結び方の第二実施図
【図９】    本発明のハリスの結び方の第三実施例図
【図１０】    本発明のハリスの結び方の第四実施例図
【図１１】    本発明のハリスの結び方の第五実施例図
【図１２】    本発明のハリスの結び方の第六実施例図
【符号の説明】
【０００８】    Ａ            従来の枝ハリス
１            枝ハリス
２            耳部
３            胴部
４            ふところ部
５            疑似餌
６            幹糸
７            結び目
８            従来の結び目
９            釣竿
１０          本発明の擬餌針
１１          餌さカゴ
【図１】
2008099655.tif 000003
【図２】
2008099655.tif 000004
【図３】
2008099655.tif 000005
【図４】
2008099655.tif 000006
【図５】
2008099655.tif 000007
【図６】
2008099655.tif 000008
【図７】
2008099655.tif 000009
【図８】
2008099655.tif 000010
【図９】
2008099655.tif 000011
【図１０】
2008099655.tif 000012
【図１１】
2008099655.tif 000013
【図１２】
2008099655.tif 000014